(57)【要約】【課題】複数個を上下方向に積み重ねて使用しても、上下からの放熱の影響を受けにくい筐体を提供する。【解決手段】奥行き方向及び幅方向に対して高さ方向が充分に小さく、内部に光源や電源等の発熱要素を収容した状態で、複数個を上下方向に積み重ねて使用する筐体であって、前記筐体内部に外気を取り込む吸気孔と、前記筐体内部から空気を排出する排気孔と、上面又は底面から突出して設けられ、２個の筐体を上下に積み重ねた際に、他方の筐体に密接し、かつ、前記排気孔と前記吸気孔との間に位置する仕切り部材と、を備えているようにした。【選択図】図３
2010257667.tif 000002
【特許請求の範囲】
【請求項１】
奥行き方向及び幅方向に対して高さ方向が充分に小さく、内部に光源や電源等の発熱要素を収容した状態で、上下方向に複数個を積み重ねて使用する筐体であって、
底壁に形成されて、前記筐体内部に外気を取り込む吸気孔と、
前記吸気孔に対向する位置を避けて上壁に形成されて、前記筐体内部から空気を排出する排気孔と、
上面又は底面から突出して設けられ、２個の筐体を上下に積み重ねた際に、他方の筐体に密接し、かつ、下側の筐体に形成された前記排気孔と上側の筐体に形成された前記吸気孔との間に位置する仕切り部材と、を備えていることを特徴とする筐体。
【請求項２】
奥行き方向及び幅方向に対して高さ方向が充分に小さく、内部に光源や電源等の発熱要素を収容した状態で、上下方向に複数個を積み重ねて使用する筐体であって、
上壁に形成されて、前記筐体内部に外気を取り込む吸気孔と、
前記吸気孔に対向する位置を避けて底壁に形成されて、前記筐体内部から空気を排出する排気孔と、
上面又は底面から突出して設けられ、２個の筐体を上下に積み重ねた際に、他方の筐体に密接し、かつ、上側の筐体に形成された前記排気孔と下側の筐体に形成された前記吸気孔との間に位置する仕切り部材と、を備えていることを特徴とする筐体。
【請求項３】
奥行き方向及び幅方向に対して高さ方向が充分に小さく、内部に光源や電源等の発熱要素を収容した状態で、上下方向に複数個を積み重ねて使用する筐体であって、
上壁に形成されて、前記筐体内部に外気を取り込む吸気孔と、
上壁に形成されて、前記筐体内部から空気を排出する排気孔と、
上面又は底面から突出して設けられ、２個の筐体を上下に積み重ねた際に、他方の筐体に密接し、かつ、下側の筐体に形成された前記排気孔と前記吸気孔との間に位置する仕切り部材と、を備えていることを特徴とする筐体。
【請求項４】
奥行き方向及び幅方向に対して高さ方向が充分に小さく、内部に光源や電源等の発熱要素を収容した状態で、上下方向に複数個を積み重ねて使用する筐体であって、
底壁に形成されて、前記筐体内部に外気を取り込む吸気孔と、
底壁に形成されて、前記筐体内部から空気を排出する排気孔と、
上面又は底面から突出して設けられ、２個の筐体を上下に積み重ねた際に、他方の筐体に密接し、かつ、上側の筐体に形成された前記排気孔と前記吸気孔との間に位置する仕切り部材と、を備えていることを特徴とする筐体。
【請求項５】
底面に設けられた足を備えており、
前記足と前記仕切り部材の高さが略同一である請求項１、２、３又は４記載の筐体。
【請求項６】
請求項１、２、３、４又は５記載の筐体と、
前記筐体に収容された光源と、
前記筐体から突出して設けられ、前記光源が射出した光を基端から導入して先端から導出するものであり、当該先端にライトガイドが接続可能である円筒部材と、を備えている光源装置。
【発明の詳細な説明】
【技術分野】
【０００１】
本発明は、内部に光源や電源等の発熱要素を収容するためのものであり、複数個を上下方向に積み重ねて使用しても、上下からの放熱の影響を受けにくい筐体に関するものである。
【背景技術】
【０００２】
従来、光源装置等の多量の熱が発生する装置では、その筐体に吸気孔と排気孔が形成されており、吸気孔から外気を取り込み、取り込んだ外気に熱を吸収させ、排気孔から高温の空気を排出するように構成してある。
【０００３】
しかし、このような装置を複数個積み重ねて使用すると、排気孔から排出された高温の空気が、吸気孔から再度筐体内に取り込まれるという問題がある。
【先行技術文献】
【特許文献】
【０００４】
【特許文献１】特開２００８−３０５７１３
【発明の概要】
【発明が解決しようとする課題】
【０００５】
本発明はかかる問題点に鑑みなされたものであって、複数個を上下方向に積み重ねて使用しても、上下からの放熱の影響を受けにくい筐体を提供することをその主たる所期課題としたものである。
【課題を解決するための手段】
【０００６】
すなわち本発明に係る筐体は、奥行き方向及び幅方向に対して高さ方向が充分に小さく、内部に光源や電源等の発熱要素を収容した状態で、複数個を上下方向に積み重ねて使用するものであって、前記筐体内部に外気を取り込む吸気孔と、前記筐体内部から空気を排出する排気孔と、上面又は底面から突出して設けられ、２個の筐体を上下に積み重ねた際に、他方の筐体に密接し、かつ、前記排気孔と前記吸気孔との間に位置する仕切り部材と、を備えていることを特徴とする。
【０００７】
このような構成を有する本発明は、前記排気孔と前記吸気孔との形成位置に応じて以下の４つの態様に分けられる。
【０００８】
すなわち第１の本発明は、底壁に形成されて、前記筐体内部に外気を取り込む吸気孔と、前記吸気孔に対向する位置を避けて上壁に形成されて、前記筐体内部から空気を排出する排気孔と、上面又は底面から突出して設けられ、２個の筐体を上下に積み重ねた際に、他方の筐体に密接し、かつ、下側の筐体に形成された前記排気孔と上側の筐体に形成された前記吸気孔との間に位置する仕切り部材と、を備えていることを特徴とする。
【０００９】
第２の本発明は、上壁に形成されて、前記筐体内部に外気を取り込む吸気孔と、前記吸気孔に対向する位置を避けて底壁に形成されて、前記筐体内部から空気を排出する排気孔と、上面又は底面から突出して設けられ、２個の筐体を上下に積み重ねた際に、他方の筐体に密接し、かつ、上側の筐体に形成された前記排気孔と下側の筐体に形成された前記吸気孔との間に位置する仕切り部材と、を備えていることを特徴とする。
【００１０】
第３の本発明は、上壁に形成されて、前記筐体内部に外気を取り込む吸気孔と、上壁に形成されて、前記筐体内部から空気を排出する排気孔と、上面又は底面から突出して設けられ、２個の筐体を上下に積み重ねた際に、他方の筐体に密接し、かつ、下側の筐体に形成された前記排気孔と前記吸気孔との間に位置する仕切り部材と、を備えていることを特徴とする。
【００１１】
第４の本発明は、底壁に形成されて、前記筐体内部に外気を取り込む吸気孔と、底壁に形成されて、前記筐体内部から空気を排出する排気孔と、上面又は底面から突出して設けられ、２個の筐体を上下に積み重ねた際に、他方の筐体に密接し、かつ、上側の筐体に形成された前記排気孔と前記吸気孔との間に位置する仕切り部材と、を備えていることを特徴とする。
【００１２】
このようなものであれば、前記排気孔と前記吸気孔との間を前記仕切り部材が隔てているので、上下に積み重ねられた前記筐体の排気孔と吸気孔との通気が妨げられる。このため、高温の空気が前記吸気孔から再度、前記筐体内に取り込まれにくくなるので、装置の放熱効率を向上することができる。
【００１３】
２個の筐体を上下に積み重ねた際に、前記仕切り部材を、他方の筐体に密接させるためには、本発明に係る筐体は、その底面に足が設けられており、前記足と前記仕切り部材の高さが略同一であることが好ましい。
【００１４】
本発明に係る筐体に光源や電源等を収容させて、光源装置や電源装置を構成することも可能である。このようなもののうち、光源装置としては、例えば、本発明に係る筐体と、前記筐体に収容された光源と、前記筐体から突出して設けられ、前記光源が射出した光を基端から導入して先端から導出するものであり、当該先端にライトガイドが接続可能である円筒部材と、を備えているものが挙げられる。このような光源装置もまた、本発明の１つである。
【発明の効果】
【００１５】
このような構成の本発明によれば、上下に積み重ねられた前記筐体の排気孔と吸気孔との通気が妨げられるので、高温の空気が前記吸気孔から再度、前記筐体内に取り込まれにくくなり、装置の放熱効率を向上することができる。
【図面の簡単な説明】
【００１６】
【図１】本発明の一実施形態に係る光源装置の下方からの斜視図である。
【図２】同実施形態に係る光源装置の上方からの斜視図である。
【図３】同実施形態に係る光源装置を２個積み重ねた状態の側面図である。
【図４】同実施形態に係る光源装置の内部を示す斜視図である。
【図５】同実施形態に係る光源装置の部分横断面図である。
【発明を実施するための形態】
【００１７】
以下に本発明の一実施形態について図面を参照して説明する。
【００１８】
本実施形態に係る光源装置１は、複数個を上下方向に積み重ねて使用するためのものであって、図１〜５に示すように、奥行き方向及び幅方向に対して高さ方向が充分に小さい筐体２と、筐体２に収容されたＬＥＤユニット３と、その先端が筐体２の前面２０３から突出し、当該先端からＬＥＤユニット３が発した光を導出する円筒部材４と、その基端面にＬＥＤユニット３が設けられた放熱フィン５と、放熱フィン５の先端近傍に設けられた排気用ファン６と、を備えている。
【００１９】
以下に各部を詳述する。
筐体２は、奥行き方向及び幅方向に対して高さ方向が充分に小さいものであり、例えば電気亜鉛メッキ鋼板（ＳＥＣＣ）により形成されている。筐体２の底壁２０１の前方には吸気孔２１が、上壁２０２の後方には排気孔２２が形成されており、また、底面２０１の４角には足２４が、底面２０１の前後方向の略中央には底面２０１を前後に分断するように仕切り部材２３が設けられている。なお、当該足２４と仕切り部材２３との高さは略同一である。更に、筐体２の前壁２０３には、円筒部材４の先端部が突出して設けられており、更に、図示しない電源スイッチ及びＬＥＤ光量調節ツマミも設けられている。
【００２０】
ＬＥＤユニット３は、高輝度ＬＥＤと当該ＬＥＤが実装されたプリント基板とからなり、後述する放熱フィン５の基端面に固定されている。本実施形態では４個のＬＥＤユニット３が設けられているが、これらは異なる色の光を発するものであり、これら各種ＬＥＤの発光比率や発光量を変えることにより、光源装置１から発する光の照度や色を変えることができようにしてある。
【００２１】
円筒部材４は、その先端が筐体２の前面２０３から突出するように、筐体２の前壁２０３を貫いて設けられており、外筒４１と、内筒４２と、接続部４４とからなるものである。
【００２２】
外筒４１は、両端に開口を有する概略回転体形状をなすものであり、ＬＥＤユニット３を囲むようにその一端開口部が放熱フィン５の基端面に固定されている。
【００２３】
内筒４２は、両端に開口を有する概略回転体形状をなすものであり、その基端部が外筒４１内に収容されている。内筒４２の基端部の内部には、ボールレンズ４３が収容されており、当該ボールレンズ４３は、ＬＥＤユニット３から発した光を前方に集光するものであり、これによりＬＥＤユニット３からの光利用率を向上するものである。
【００２４】
接続部４４は、概略回転体形状をなすものであり、その基端部は内筒４２の先端部に嵌合しており、その先端部は筐体２の前面２０３から突出してライトガイドＬを取り付け可能に構成されている。
【００２５】
放熱フィン５は、所定の厚みを有する櫛歯状をなすものであり、その基端面にはＬＥＤユニット３が固定されており、ＬＥＤユニット３で発生した熱が放熱フィン５に伝達されるようにしてある。また、放熱フィン５は、吸気孔２１の近傍に設けてあり、吸気孔２１と排気孔２２との間の空気の流路上に配置されている。
【００２６】
排気用ファン６は、放熱フィン５の先端付近に、排気孔２２に対向して設けられている。排気用ファン６は、筐体２内の空気を下から上に吸い上げて、排気孔２２から外部へ排出し、吸気孔２１から排気孔２２に至る強制的な空気の流通が行われるようにしている。
【００２７】
このような本実施形態に係る光源装置２を稼働すると、排気用ファン６のファンが回転して、外気が吸気孔２１から筐体２内に吸い込まれる。吸い込まれた外気はＬＥＤユニット３から発生した熱を放熱フィン５等を介して吸収して高温となる。当該高温となった空気は排気用ファン６により吸い上げられて、排気孔２２から送り出される。この際、排気孔２２から排出された高温の空気は仕切り部材２３に妨げられて、上側に配置された光源装置２の吸気孔２１には吸い込まれない。
【００２８】
一方、ＬＥＤユニット３から射出された光は、円筒部材４内に導入され、ボールミラー４３で集光されて、その先端に取り付けられたライトガイドＬへ導出される。
【００２９】
このような本実施形態に係る光源装置１によれば、排気孔２２と吸気孔２１との間を仕切り部材２３が隔てているので、上下に積み重ねられた筐体２の排気孔２２と吸気孔２１との通気が妨げられる。このため、高温の空気が吸気孔２１から再度筐体２内に取り込まれにくくなり、光源装置１の放熱効率を向上することができる。
【００３０】
なお、本発明は前記実施形態に限られるものではない。
【００３１】
例えば、吸気孔２１と排気孔２２の形成位置は、複数個の筐体２を積み重ねた時に、互いに対向する位置を避けて設定してあれば特に限定されず、吸気孔２１が筐体２の上壁２０２に形成され、かつ、排気孔２２が底壁２０１に形成されていてもよく、又は、吸気孔２１及び排気孔２２が共に上壁２０２又は底壁２０１に形成されていてもよい。
【００３２】
また、仕切り部材２３の設置位置も筐体２の底面２０１上に限定されず、上面２０２上であってもよい。
【００３３】
更に、筐体２に収容されるものはＬＥＤユニット３等の光源に限定されず、発熱するものであればいずれのものであってもよく、例えば、電源等が収容されて電源装置を構成してもよい。
【００３４】
また、ファンも、排気孔２２側に設けず、例えば吸気孔２１側に設けて外気を筐体２内部に送り込むように構成してもよい。
【００３５】
その他、本発明は上記の各実施形態に限られず、本発明の趣旨を逸脱しない限り、前述した種々の構成の一部又は全部を適宜組み合わせて構成してもよい。
【符号の説明】
【００３６】
１・・・光源装置
２・・・筐体
２１・・・吸気孔
２２・・・排気孔
２３・・・仕切り部材
２０１・・・底壁（底面）
２０２・・・上壁（上面）
【図１】
2010257667.tif 000003
【図２】
2010257667.tif 000004
【図３】
2010257667.tif 000005
【図４】
2010257667.tif 000006
【図５】
2010257667.tif 000007